(57)【特許請求の範囲】
【請求項１】
樹木などの柱状体に下方から上方へ向かって順次装着される昇降具本体と、作業者の安全帯に結合され未装着の前記昇降具本体を保持するホルダーとからなり、
前記昇降具本体は、装着時に前記柱状体に沿って上下方向に延びるように配置される長尺の主ベルトと、この主ベルトに柱状体の上下方向である長さ方向に適宜相互間隔を置いて結合される複数の足場部材と、隣接する上下の足場部材の間に位置して主ベルトに結合される複数の中間足場部材と、前記各足場部材に結合され主ベルトを柱状体に沿わせた状態で柱状体の外周に着脱可能な複数の締め付けベルトと、隣接する上下の足場部材の間に位置して主ベルトに結合され前記ホルダーに係合離脱自在の複数の連結部材とを具備し、
前記足場部材と中間足場部材は、前記柱状体への装着時に作業者に足場を提供するように柱状体から突出するステップ部を有し、
前記連結部材は、前記主ベルトから前記ステップ部の突出方向に延出し、先端部を前記ホルダーに係合離脱自在に構成され、
前記ホルダーは、前記連結部材を係合させることによって、未装着状態の前記主ベルトを前記柱状体への装着順に従って折り畳んで保持できるように構成されることを特徴とする柱状体昇降具。
【請求項２】
樹木などの柱状体に下方から上方へ向かって順次装着される昇降具本体と、作業者の安全帯に結合され未装着の前記昇降具本体を保持するホルダーとからなり、
前記昇降具本体は、装着時に前記柱状体に沿って上下方向に延びるように配置される長尺の主ベルトと、この主ベルトに柱状体の上下方向である長さ方向に適宜相互間隔を置いて結合される複数の足場部材と、各足場部材に上端部が係止され上下の足場部材の間に足掛け部を有する複数の中間足場部材と、各足場部材に結合され主ベルトを柱状体に沿わせた状態で柱状体の外周に着脱可能な複数の締め付けベルトと、隣接する上下の各足場部材の間に位置して主ベルトに結合され前記ホルダーに係合離脱自在の複数の連結部材とを具備し、
前記足場部材は、前記柱状体への装着時に作業者に足場を提供するように前記柱状体から突出するステップ部を有し、
前記中間足場部材は、上端部が前記足場部材のステップ部に係止され、それによって、装着時に、前記足掛け部が前記柱状体の外周から離れて配置されるよう構成され、
前記連結部材は、前記主ベルトから前記ステップ部の突出方向に延出し、先端部を前記ホルダーに係合離脱自在に構成され、
前記ホルダーは、前記連結部材を係合させることによって、未装着状態の前記主ベルトを前記柱状体への装着順に従って保持できるように構成されることを特徴とする柱状体昇降具。
【請求項３】
前記中間足場部材は、各足場部材のステップ部に両端が係止され、それによって足掛け可能なほぼU 字状の吊支状態を呈する索状部材で構成されることを特徴とする請求項２に記載の柱状体昇降具。
【請求項４】
前記足場部材は、前記締め付けベルトの一端を係止するベルト係止部と、締め付けベルトの他端側を係止するフック係止部とを有し、
前記締め付けベルトは、一端が前記足場部材のベルト係止部に係止され、延長途上にフック付きの締め付けバックルを有し、フックを足場部材のフック係止部に掛けてバックルで前記柱状体を締め付け可能に構成されることを特徴とする請求項1又は２に記載の柱状体昇降具。
【請求項５】
前記足場部材は、金属板材を折り曲げて構成され、装着時に前記柱状体の外周に沿う支持板部と、この支持板部の下端部からほぼ直角あるいはやや上向き斜めに延出するステップ部とを具備し、支持板部の左右の縁には柱状体の外周に向かって起立するように屈折した脚部が設けられ、この脚部によって支持板部が柱状体の外周から浮いた状態で柱状体に装着されるよう構成され、前記フック係止部が支持板部の縁に設けられることを特徴とする請求項４に記載の柱状体昇降具。
【発明の詳細な説明】
【技術分野】
【０００１】
この発明は、樹木や電柱などの柱状体に装着して作業者の昇降を容易にするために用いられる昇降具に係り、特に安全帯との連携による墜落防止機能を有する柱状体昇降具に関する。
【背景技術】
【０００２】
長く重い金属製の梯子を使用できない場合でも、樹木や電柱等の柱状体に安全に昇降し得る昇降具として、特許文献１に記載されたものが知られている。これを図６に示す。
この昇降具２１は、樹木などの柱状体Ａに装着される昇降具本体２２と、柱状体Ａへ装着される前の昇降具本体２２を作業者の安全帯Ｂに結合して保持するためのホルダー２３とからなる。昇降具本体２２は、長尺の主ベルト２４、これに結合された複数の締め付けベルト２５、複数の足場部材２６，２７で構成される。締め付けベルト２５は、主ベルト２４を柱状体Ａに上下方向に沿わせた状態で柱状体Ａの外周に締め付けて固定できる。締め付けベルト２５が結合された足場部材２６は、未装着時にホルダー２３に係合できる。ホルダー２３は、複数の足場部材２６をその主ベルト２４上の配置順に従って重ねて係合させて保持できる。作業者は、常に、安全帯Ｂ−ホルダー２３−足場部材２６−主ベルト２４−締め付けベルト２５を介して柱状体Ａに連結されているから墜落のおそれがない。
【特許文献１】特開２００６−２３９１８３号公報
【発明の開示】
【発明が解決しようとする課題】
【０００３】
上記従来の柱状体昇降具においては、多数の比較的大きな足場部材２６がホルダー２３に重ねて係合されるために、作業者の腰元で足場部材２６が嵩張って、作業の自由が制限される。Ｌ型に変形した板状で、比較的大型である足場部材２６をホルダー２３に掛け外しする操作は煩わしさを伴い作業性が悪い。
したがって、この発明は、作業者が山中等へ無理なく携帯して、樹木などの柱状体に容易に装着でき、安全帯との連携による優れた墜落防止機能を有する柱状体昇降具であって、使い勝手、安全性がさらに向上したものを提供することを目的とする。
【課題を解決するための手段】
【０００４】
上記課題を解決するため、この発明においては、樹木などの柱状体Ａに下方から上方へ向かって順次装着される昇降具本体２と、柱状体Ａへ未装着の昇降具本体２を作業者の安全帯Ｂに結合して保持するホルダー３とから昇降具１を構成する。昇降具本体２は、長尺の主ベルト４と、複数の足場部材６と、複数の中間足場部材７と、複数の締め付けベルト５と、複数の連結部材８とを具備する。主ベルト４は、装着時に柱状体Ａに沿って上下方向に延びるように配置される。足場部材６は、主ベルト４に柱状体Ａの上下方向である長さ方向に適宜相互間隔を置いて複数結合される。中間足場部材７は、隣接する上下の足場部材６の間に位置して主ベルト４に結合される。締め付けベルト５は、各足場部材６に結合され、主ベルト４を柱状体Ａに沿わせた状態で柱状体Ａの外周に着脱可能である。連結部材８は、隣接する上下の足場部材６の間に位置して主ベルト４に結合され、ホルダー３に係合離脱自在である。足場部材６と中間足場部材７は、柱状体Ａへの装着時に作業者に足場を提供するように柱状体Ａから突出するステップ部６ｂ、７ｂを有する。連結部材８は、主ベルト４からステップ部６ｂの突出方向に延出し、先端部をホルダー３に係合離脱自在に構成される。ホルダー３は、連結部材８を係合させることによって、未装着状態の主ベルト４を柱状体Ａへの装着順に従って保持できるように構成される。
【発明の効果】
【０００５】
作業者は、安全帯Ｂに係止されたホルダーから連結部材８を１つ外す毎に１スパンの主ベルト４をホルダー３から繰り出すことができる。繰り出した主ベルト４を締め付けベルト５で足場部材６と共に柱状体Ａの上部に固定し、足場部材６，７を利用して柱状体Ａに登ることができる。作業者が足場部材６，７を踏み外しても、作業者は、安全帯Ｂのホルダー３に係止されている連結部材８を介して主ベルト４に結合され、さらに主ベルト４は下方で締め付けベルト５により柱状体Ａに固定されているので、主ベルト４に支持されて墜落を免れることができる。昇降具１が安全具を兼ねるから、別の安全具を必要としない。
連結部材８が足場部材６の突出方向へ延出しているため、ハンドリングが容易で、これをホルダー３に係止することで主ベルト４が各足場部材６，６と間で整然と折り畳まれ、足場部材６と中間足場部材７は作業者の腰元から下方へ離れた位置に配置される。このため、足場部材６と中間足場部材７により作業者の行動の自由が制限されることが少ない。
【発明を実施するための最良の形態】
【０００６】
図面を参照してこの発明の実施の形態を説明する。図１は本発明の昇降具の使用状態を示す説明図、図２は本発明の昇降具本体の設置状態の斜視図、図３は本発明の昇降具の未装着状態の斜視図、図４は足場部材の斜視図である。
【０００７】
図１において、昇降具１は、樹木などの柱状体Ａに装着される昇降具本体２と、作業者の安全帯Ｂに結合されるホルダー３とからなる。ホルダー３は、未装着の昇降具本体２を折り重ねて保持できる。
【０００８】
図２に示すように、昇降具本体２は、作業者に足場を提供するように樹木Ａの幹に沿って上下方向に延びるように装着される。以下、昇降具本体２について、樹木Ａへの装着状体を基準として「上方」、「下方」を区別する。昇降具本体２は、長尺の主ベルト４と、この主ベルト４に結合された複数の締め付けベルト５、足場部材６、中間足場部材７、連結部材８を具備する。図１に示すように、昇降具本体２は、連結部材８をホルダー３に係止して安全帯Ｂに結合される。主ベルト４は、両端の接続部４ａにおいて別の昇降具本体２と結合可能で、登るべき樹木の高さに応じて適宜数を連結して用いる。
【０００９】
足場部材６は、主ベルト４に長さ方向（上下方向）に適宜相互間隔（例えば１００cm）を置いて複数結合される。図４に示すように、足場部材６は、金属板材を折り曲げて構成され、装着時に柱状体Ａの外周に沿う支持板部６ａと、この支持板部の下端部から直角よりやや上向き斜めに延出するステップ部６ｂとを具備する。支持板部６ａの左右の縁には、装着時に柱状体Ａの外周に向かって起立するように屈折する脚部６ｃが設けられ、この脚部６ｃによって支持板部６ａが柱状体Ａの外周から浮いた状態で足場部材６が柱状体Ａに装着される。足場部材６に足を掛けたときに、脚部６ｃに体重が集中し、不定形の柱状体Ａの外周に確実にかみ合うため、足場部材６が不用意にずれ動くおそれがない。支持板部６ａの両縁に、ベルト係止部６ｄとフック係止部６ｅが設けられる。
【００１０】
締め付けベルト５は、一端において各足場部材６のベルト係止部６ｄに係止され、主ベルト４に直交する方向に延び、途上にフック9ａ付きの締め付けバックル９を有する。フック9ａは、各足場部材６のフック係止部６ｅに掛け止めることができる。締め付けベルト５は、主ベルト４を柱状体Ａに縦方向に沿わせた状態で、柱状体Ａの外周に巻いて締め付け固定することができる。
【００１１】
中間足場部材７は、隣接する上下の足場部材６の間に位置して主ベルト４に結合される。中間足場部材７は、締め付けベルト５が係止されない点を除き、足場部材６と同様の構成で、図４に示すように、支持板部７ａ、ステップ部７ｂ、脚部７ｃを有する。
【００１２】
図２に示すように、連結部材８は、折返し縫合部８ａとリング８ｂとを具備し、中間足場部材７とその上方の足場部材６との間に配置される。折返し縫合部８ａは、主ベルト４からステップ部６ｂの突出方向へ所定長さ延出し、その先端にリング８ｂが固着される。中間足場部材７とその上方の足場部材６との間の主ベルト４をリング８ｂに通して折返し、リング８ｂを巻き込むように折返し部を所定長さにわたって重ねて縫合することにより折返し縫合部８ａが形成され、それによって折返し縫合部８ａの先端部にリング８ｂが固着される。リング８ｂは、ホルダー３に係合離脱自在である。
【００１３】
図３に示すように、ホルダー３は、主ベルト４上の複数のリング８ｂを主ベルト４上の配置順に従って重ねて保持できるように構成される。ホルダー３は、連結部材８のリング８ｂを係合させることができる開閉自在のフック３ａを備える。
【００１４】
この昇降具１を使用する場合には、まず作業者が、例えば昇降具本体２を地上に延ばして配置した状態で、昇降具本体２の上端側の連結部材８から順次下方側の連結部材８へと各リング８ｂを持って引き上げ、引き上げた順にリング８ｂを重ねて保持していくと、主ベルト４が各足場部材６と中間足場部材７との間で折り重ねられる。重ねて保持されたリング８ｂを下端側のものから先に外していけるように、順序よくホルダー３のフック３ａに係合させる。これで作業者は、昇降具本体２を折り畳み状態で安全帯Ｂに吊り止ることができる。
【００１５】
連結部材８が各足場部材６と中間足場部材７との間にあって足場部材６，７の突出方向へ延出しているため、ハンドリングが容易で、これをホルダー３に係止することで主ベルト４が各足場部材６と中間足場部材７との間で整然と折り畳まれ、足場部材６と中間足場部材７は作業者の腰から下方へ離れた位置に配置される。このため、足場部材６と中間足場部材７により作業者の行動の自由が制限されることが少ない。
【００１６】
この昇降具１を用いて樹木Ａに登る場合には、まず地上において作業者が、樹木Ａの最初に足を掛けられる高さ位置に昇降具本体２の下端側の締め付けベルト５を巻き、バックル９のフック９ａを足場部材６のフック係止部６ｅに係合させ、ベルトの先端を引き締めて樹木Ａに締め付け固定する。これによって最下端の足場部材６が樹木Ａに固定される。作業者は、安全帯ロープＣを併用し、これを上方へずらしつつ、足場部材６を足がかりにして樹木Ａを登っていく。安全帯ロープＣは、樹木Ａを包囲して両端が安全帯Ｂに結合されている。樹木Ａに固定された足場部材６まで登ったら、ここで、作業者は、安全帯ロープＣに身をあずけて安定した状態で、ホルダーのフック３ａから最初の連結部材８を外し、次に固定する新たな足場部材６の締め付けベルト５を樹木Ａの所定の高さ位置に巻いて締め付け固定する。同様に、作業者は、安全帯ロープＣを上方へずらしつつ、足場部材７を足がかりにして樹木Ａを登り、上方の足場部材６に到達したら、同様の作業を繰り返して樹木Ａの所要高さ位置まで登り、枝打ちなどの所要の作業を行う。下降時には、その逆に、下方の足場部材６に到達する毎に、締め付けベルト５を解いて上方の足場部材６を順次取り外し、ホルダー３のフック３ａに連結部材のリング８ｂを係合させていく。こうすれば作業者は、フック３ａに係止した連結部材８、主ベルト４、締め付けベルト５を介して、常に樹木Ａにつながれているので、万一、足場部材６，７を踏み外しても、直下の締め付けベルト５で止められ、地上まで墜落することはない。連結部材８の先端部にあって比較的小型のリング８ｂをホルダー３に係合・離脱させる操作は昇降途上においても容易で、作業性が良好であり、安全性も高まる。
【００１７】
図５に示す他の実施形態においては、中間足場部材７が、足場部材６のステップ部６ｂに両端を係止されたロープ７ｄと、これに装着された合成樹脂管７ｅで構成される。ロープ７ｄは、昇降具本体２を樹木Ａへ装着した状態において、樹木の外周から離れた位置で、足掛け可能なほぼU 字状の吊支状態となる。ロープに代わるベルトのような他の索状部材で構成してもよい。その他の構成は先の実施形態と同等であるから、図中、対応構成部に同一の符号を付して説明を省略する。この実施形態の場合には、金属製の中間足場部材を用いる場合よりも全体を軽量化することができる。
【産業上の利用可能性】
【００１８】
この発明は、例えば、送電線の保守作業時等において、近隣樹木の枝打ち等の作業を行う際の樹木への昇降のために利用される。
【図面の簡単な説明】
【００１９】
【図１】本発明の昇降具の使用状態を示す説明図である。
【図２】本発明の昇降具本体の設置状態の斜視図である。
【図３】本発明の昇降具の未装着状態の斜視図である。
【図４】足場部材の斜視図である。
【図５】他の実施形態の昇降具本体の設置状態の斜視図である。
【図６】従来の昇降具の説明図である。
【符号の説明】
【００２０】
１      昇降具
２      昇降具本体
３      ホルダー
３ａ    フック
４      主ベルト
４ａ    連結部
５      締め付けベルト
６      足場部材
６ａ    支持板部
６ｂ    ステップ部
６ｃ    脚部
６ｄ    ベルト係止部
６ｅ    フック係止部
７      中間足場部材
７ａ    支持板部
７ｂ    ステップ部
７ｃ    脚部
８      連結部材
８ａ    折返し縫合部
８ｂ    リング
９      バックル
9ａ    フック
Ａ      樹木（柱状体）
Ｂ      安全帯
Ｃ      安全帯ロープ
【図１】
0004985962.tif 000002
【図２】
0004985962.tif 000003
【図３】
0004985962.tif 000004
【図４】
0004985962.tif 000005
【図５】
0004985962.tif 000006
【図６】
0004985962.tif 000007